(57)【要約】      （修正有）【課題】巻きつけるまでの作業を簡単にできる布地の巻付方法を提供する。【解決手段】布地１を首に巻き付ける際には、ファスナー３を開いて布地１の両端が離れた状態として、中央部を首に掛ける。この状態で、布地１の一端側を首の後ろに回して布地１の片側半分が首に巻き付ける。次に、首から垂れたままとなっている布地１の他端側を、掛けられた肩と反対側の肩の上方に持ち上げて首の後ろに回し、首に既に巻き付けられている布地１の一端側の外側から首に巻き付ける。そして、ファスナー３のスライダーにエレメントを嵌め込んでスライダーをスライドさせ、ファスナー３を閉じる。これにより、首に巻き付けられた布地１の両端が首から離れて、巻き付きが解けるのが防止される。【選択図】図５
2015074850.tif 000002
【特許請求の範囲】
【請求項１】
両端に互いに噛み合うファスナーがついている布地の巻付方法であって、
前記布地に巻き付けた上で前記ファスナーを閉じ、前記布地の両端同士を接続することを特徴とする布地の巻付方法。
【請求項２】
前記ファスナーは、前記布地の表面と裏面とが接続されるよう取り付けられていることを特徴とする請求項１に記載の布地の巻付方法。
【発明の詳細な説明】
【技術分野】
【０００１】
本発明は、布地の巻付方法に関する。
【背景技術】
【０００２】
この種の布地としては、下記の特許文献１に首に巻きつけられるタオルが開示されている。特許文献１のタオルは、タオル地やガーゼ生地等から形成されたタオル本体の一端側に挿通部が設けられている。挿通部は、両端部分がタオル本体に縫着された帯状部材を用いて形成してある。
【０００３】
このタオルを首に巻きつけられる際には、まず、タオル本体を二つ折りにした後、更に二つ折りにすることで四つ折りにする。この時、挿通部が折られたタオル本体の内部に隠れずに正面側に露呈するようにする。
【０００４】
次に、タオル本体の挿通部が設けられた側の端部を挿通部にくぐらせる。すると、四つ折りになったタオル本体が不用意に展開しないように、タオル本体を二重巻き状態で安定させられる。このように四つ折り状態としたタオル本体を、首に巻きつけ、一端側の挿通部に他端側を挿通させると、タオル本体の両端を結ばなくても安定した状態で首に巻きつけることができる。
【先行技術文献】
【特許文献】
【０００５】
【特許文献１】特開２０１２−１３０６６５号公報
【発明の概要】
【発明が解決しようとする課題】
【０００６】
しかしながら、上記従来のタオルでは、タオルを巻きつけるまでの作業が繁雑であるという問題があった。また、見栄えが美しくなく、首もとがゴワつくという問題もあった。
【０００７】
本発明は斯かる課題に鑑みてなされたもので、上記課題を解決できる布地の巻付方法を提供することを目的とする。
【課題を解決するための手段】
【０００８】
このような目的を達成するために、本発明の布地の巻付方法は、両端に互いに噛み合うファスナーがついている布地の巻付方法であって、前記布地に巻き付けた上で前記ファスナーを閉じ、前記布地の両端同士を接続することを特徴とする。
また、本発明は、前記ファスナーは、前記布地の表面と裏面とが接続されるよう取り付けられていることを特徴とする。
【発明の効果】
【０００９】
本発明によれば、布地の両端のファスナーを互いに噛み合わせることで、布地を巻きつけるまでの作業を簡単にできる。また、見栄えを美しくし、首もとがゴワつくのも抑えられる。
【図面の簡単な説明】
【００１０】
【図１】本発明の一実施形態の布地を示す図である。
【図２】図１の布地の耳を拡大して示す図である。
【図３】布地を首に巻く方法を示す第１の図である。
【図４】布地を首に巻く方法を示す第２の図である。
【図５】布地を首に巻く方法を示す第３の図である。
【図６】図２のファスナーの開閉動作を示す図である。
【図７】布地を首に巻く方法を示す第４の図である。
【図８】布地を首に巻く方法を示す第５の図である。
【発明を実施するための形態】
【００１１】
以下、図面を参照して、本発明の一実施形態を説明する。
図１は、本実施形態の布地を示す図であり、（ａ）は表面，（ｂ）は裏面を示している。
【００１２】
図１に示す布地１は、パイル地のタオル生地で形成されており、方形，具体的には矩形を呈している。パイル地のタオル生地を用いることで、ループ状の織り方がタオル独自のふわふわとした肌触りを作り出し、布地１の表面積を広くして十分に水分を吸収してくれるようになる。
【００１３】
タオル生地の主原料となる綿は、綿花から摘み採った繊維の長さによって「短繊維綿」（平均繊維長２１ｍｍ以下），「中繊維綿」（平均繊維長２８ｍｍ以下），「長繊維綿」（平均繊維長２８ｍｍ以上）と分類されており、繊維が長く、細く、そして撚りが多いほど、ふっくらとした柔らかい風合いの繊維製品に仕上がる。このため、長繊維綿の中でも繊維長が平均３５ｍｍ以上の特別に長い「超長綿」でタオル生地が形成されていると、繊維の中空部分が肉厚なために吸湿性が優れ、しかも撚りが多いために繊維そのものがふっくらとする。
【００１４】
この超長綿としては、西インド諸島（中南米）で生産される海島綿（「シーアイランドコットン」とも呼ばれる），エジプトのナイル川流域で生産されるエジプト綿のギザ４５，インド南部で生産されるスピン綿（スピンゴールドとも呼ばれる），ペルーや米国南西部等が原産地のピマ綿，アメリカ・カリフォルニア州のサンホーキンで生産されるサンホーキン綿等を用いることができる。
【００１５】
布地１は、両端間の長さ５〜６の範囲に対して幅が１〜１．５の範囲となる形状となっている。本実施形態の布地１は、首に巻いてマフラータオルとして使用できるようにするため、長さが１００〜１２０ｃｍで、幅が２０〜２５ｃｍとなっている。なお、布地１の幅及び長さは巻き付ける箇所や用途等に応じて、任意に定められる。例えば、洗顔や入浴等で使用するフェースタオルでは、幅３０〜３５ｃｍ，長さ８０〜９０ｃｍ程度とすることができる。湯上りに体を拭くときに使うバスタオルでは、幅６０〜８０ｃｍ，長さ１１０〜１５０ｃｍ程度とすることができる。
【００１６】
また、ハンドタオルでは、幅，長さともに３５ｃｍ以下程度とすることができる。ハンカチ用として使用されるハンカチタオルでは、２０〜３０ｃｍ角程度とすることができる。食器や手などを拭くために使用するキッチンタオルでは、幅，長さともに３０〜３５ｃｍ程度とすることができる。体を洗うためのボディータオルでは、幅２５〜３５ｃｍ，長さ９０〜１１０ｃｍ程度とすることができる。
【００１７】
また、おしぼり，ふきん，ハンカチとして利用されるオシボリタオルでは、幅２５〜３５ｃｍ，長さ３０〜４５ｃｍ程度とすることができる。運動時等の汗拭きや洗顔等で用いられるスポーツタオルでは、幅３５〜４５ｃｍ，長さ９０〜１３０ｃｍ程度とすることができる。
【００１８】
また、布地１が首以外の場所に巻き付けて用いられる場合には、巻き付ける場所に応じた長さ及び幅に布地１の大きさを定めることができる。
【００１９】
図２は、布地の耳を拡大して示す図であり、（ａ）は表面，（ｂ）は裏面を示している。
布地１の両端には、図２に拡大して示すように、互いに噛み合うファスナー３がついている。ファスナー３は、金属製の線ファスナー３であり、務歯頭部同士が噛み合わされることでファスナー３の働きをするエレメント３１と、ファスナー３を開閉するときにエレメント３１（務歯頭部）同士を噛み合わせる役目をするスライダー３２と、エレメント３１が取り付けられて布地１に縫い付けられるテープ３３とを備えている。ファスナー３は、スライダー３２を一番下まで下ろすことで、左右のテープ３３同士を離すことができる開製品であり、テープ３３が両端の耳２に縫い付けられて両端の各端辺全体にかけて設けられている。なお、テープ３３は、ポリエステルテープが主体となっているが、合繊テープ、綿テープ等を用いることもできる。
【００２０】
次に、布地１を首に巻き付けて使用する方法を説明する。
布地１を首に巻き付ける際には、図３に示すように、ファスナー３を開いて布地１の両端が離れた状態として、タオルの中心部分を首の前にあて、布地１の両端を肩から首の後ろに回す。この状態で、図４に示すように、布地１の両端を、掛けられた肩と反対側の肩の上方に持ち上げて、首の前に回す。これにより、布地１の両端が首に巻き付けられる。
【００２１】
このようにして、布地１の両側が首に巻き付けられたら、図５に示すように、布地１の両端についているファスナー３を繋いで上から下へ下ろす。これにより、ファスナー３は、図６（ａ）に示すように、スライダー３２がエレメント３１を嵌め込まれた状態で、エレメント３１を閉じる方向にスライドする。この結果、図６（ｂ）に示すように、布地１の一端側のエレメント３１と他端側のエレメント３１とがスライダー３２により嵌め合わされて、ファスナー３が閉じられる。これにより、首に巻き付けられた布地１の両端が首から離れて、巻き付きが解けるのが防止される。
【００２２】
このようにして、ファスナー３が閉じられたら、図７に示すように、ファスナー３が首の後ろに位置するよう布地１を首の周囲に沿って回転させる。これにより、図８に示すように、布地１の両端の合わせ目が首の後ろに位置した状態で、布地１が首に巻きつけられた状態となる。布地１の両端の合わせ目は、髪の毛の下に隠れ、外から視認しにくくなっている。
【００２３】
このように、布地１を首に巻いてファスナー３を閉じた後、布地１を首の周囲で回転させるという簡単な作業で、布地１が首から解けるのを防止した状態で布地１を首に巻き付けていることができる。
【００２４】
本実施形態によれば、布地１の両端のファスナー３を互いに噛み合わせることで、布地１を巻きつけるまでの作業を簡単にできる。また、布地１の両端の合わせ目が首の後ろに位置して髪の毛の下に隠れるため、、布地１の両端の合わせ目やファスナー３を外から視認し難くでき、首に巻き付けられた布地１の見栄えを美しくできる。また、布地１の両端の合わせ目やファスナー３を首の後ろに位置させることで、首もとがゴワつくのも抑えられる。
【００２５】
なお、上記実施形態では、ファスナー３として金属製の線ファスナーを用いた場合について説明したが、ファスナー３の種類は任意である。例えば、樹脂製の樹脂ファスナーや、樹脂製のエレメント３１がテープ３３に射出成型されたビスロンファスナーも用いることができる。また、ファスナー３は、点ファスナーであっても、面ファスナーであってもよい。
【００２６】
また、上記実施形態では、布地１がパイル地のタオル生地で形成されている場合について説明したが、他のタオル生地から形成されていてもよい。例えば、パイル部分の表面を毛刈りしたシャーリング地で形成してもよい。この構成によれば、ビロードのような肌触りとつやを布地１に持たせることができ、髪やアクセサリーに布地１がひっかかり難くすることもできる。   
【００２７】
また、布地１の一面をガーゼ地で形成してもよい。この構成によれば、パイルの風合いとガーゼの柔らかさの両方を布地１に持たせることができ、軽くて乾きやすく、使うほどに布地１が肌になじむようにできる。また、布地１を朱子織地で形成してもよい。この構成によれば、ガーゼ織と同じような見た目を布地１に持たせながら、表面をきめ細やかにできる。また、生地目が詰まっているので、ガーゼ織に比べ生地風合いを少し固めとすることができる。このため、主に繊細な柄をプリントする時等に好適に使用できる。   
【００２８】
また、布地１は、経浮きの多い糸と横浮きの多い糸を４角形に使ってマス型の凹凸を表面に織り出すワッフル織地で形成してもよい。この構成によれば、凹凸を有して立体感のある表面に仕上げられ、肌触りがよく、吸水性に優れたものとすることができる。また、糸抜けしにくく、乾きやすい布地１とすることができ、さらに地が厚くザックリとした感触と柔らかさをあわせ持った布地１とすることができる。
【００２９】
また、布地１は、ジャガード織地で形成されていてもよい。また、布地１が撚りのない無撚糸地で形成されている場合には、普通の綿に比べてふんわりと仕上げ、綿花そのもののやわらかさが伝わってくるような感触を与えることができる。また、繊維の間に隙間が多いので、毛細管現象を助け、素早く水分を吸収することができる。
【００３０】
上記実施形態では、１つのスライダー３２をエレメント３１の端までスライドすることで左右のテープ３３を離すことができる開製品のファスナー３を用いた場合について説明したが、２つのスライダー３２を備えた逆開製品のファスナー３を用いてもよい。この構成によれば、ファスナー３を両側から開くことができ、ファッション性だけではなく機能性にも富んだ布地１を提供することが可能となる。
【００３１】
上記実施形態では、布地１をタオル地で形成した場合について説明したが、布地１の材質は任意であり、タオル地以外の材質のもので形成することもできる。また、上記実施形態では、布地１を首に巻き付ける場合について説明したが、首以外の箇所に巻き付けることもできる。また、上記実施形態では、布地１の表面同士，裏面同士が接続されるようファスナー３が取り付けられている場合について説明したが、ファスナー３が布地１の表面と裏面とが接続されるよう取り付けられていてもよい。また、布地１は、リバーシブルに形成されていてもよい。
【符号の説明】
【００３２】
１              布地
２              耳
３              ファスナー
３１            エレメント（務歯頭部）
３２            スライダー
３３            テープ
【図１】
2015074850.tif 000003
【図２】
2015074850.tif 000004
【図３】
2015074850.tif 000005
【図４】
2015074850.tif 000006
【図５】
2015074850.tif 000007
【図６】
2015074850.tif 000008
【図７】
2015074850.tif 000009
【図８】
2015074850.tif 000010